(57)【要約】【課題】簡単な構成で給電素子と無給電素子とを同軸状に配置することができ、コストの低下を図り得るアンテナ装置を提供する。【解決手段】アンテナ支柱１の先端に支柱取付座部２がネジ止めされ、その上端に支持板３を介して絶縁柱４がネジ止めされる。絶縁柱４の上端内側面に下部給電素子５ｂが装着され、その上端に素子保持板１２が装着されると共に絶縁板１４及び接続板１５がネジ止めされる。接続板１５及びサポート２０には、素子保持板１３を介して上部給電素子５ａが装着される。下部給電素子５ｂの中心軸にショートトラップ回路１６が設けられ、給電素子５ａ、５ｂへの給電が行なわれる。絶縁柱４及び給電素子５ａ、５ｂの外側にアンテナカバー２３が設けられ、その下端部が支柱取付座部２にネジ止めされる。アンテナカバー２３の外周面には、無給電素子８が装着され、給電素子５ａ、５ｂに対して同軸状に設けられる。【選択図】　　図１
2004007695.tif 000002
【特許請求の範囲】
【請求項１】
支持部材により支持される円筒状の放射素子と、
前記放射素子の外側に所定の間隔を保って同軸状に設けられた絶縁体からなる円筒体と、
前記円筒体に装着され、前記放射素子に対して同軸状に設けられる１個あるいは複数個の無給電素子と
を具備したことを特徴とするアンテナ装置。
【請求項２】
前記円筒体の外側表面に無給電素子を密着して設けたことを特徴とする請求項１記載のアンテナ装置。
【請求項３】
前記円筒体の内側表面に無給電素子を密着して設けたことを特徴とする請求項１記載のアンテナ装置。
【請求項４】
前記円筒体の内部に無給電素子を一体に設けたことを特徴とする請求項１記載のアンテナ装置。
【請求項５】
前記円筒体によりアンテナカバーを構成したことを特徴とする請求項１記載のアンテナ装置。
【発明の詳細な説明】
【０００１】
【発明の属する技術分野】
本発明は、給電素子と無給電素子とを同軸状に配置したアンテナ装置に関する。
【０００２】
【従来の技術】
従来、例えば空港の管制塔と航空機との間の通信用アンテナとして、図４及び図５に示すように周波数を広帯域化するために給電素子と無給電素子とを同軸状に配置したアンテナ装置が使用されている。図４は従来のアンテナ装置の一部断面図、図５は図４におけるＢ−Ｂ矢視断面図である。
【０００３】
図４及び図５において、１は円筒状のアンテナ支柱で、その先端に支柱取付座部２がネジ止めされ、この支柱取付座部２の上端に支持板３がネジ止めされる。この支持板３の上面には、外周近傍に円筒状の支持部が形成されており、この支持部に円筒状の絶縁柱４がネジ止めされる。この絶縁柱４の内側面に円筒状の上部給電素子５ａ及び下部給電素子５ｂが装着され、外側面に上部絶縁サポート６及び下部絶縁サポート７を介して円筒状の無給電素子８が装着される。すなわち、給電素子５ａ、５ｂに対し、無給電素子８が所定の間隔を保って同軸状に設けられる。上記上部絶縁サポート６及び下部絶縁サポート７は絶縁柱４に絶縁サポート固定ネジ９で固定され、無給電素子８は上部絶縁サポート６及び下部絶縁サポート７に無給電素子固定ネジ１１で固定される。
【０００４】
一方、上部給電素子５ａの上端及び下部給電素子５ｂの下端は、上記絶縁サポート固定ネジ９を利用して絶縁柱４に固定される。下部給電素子５ｂの上端は素子保持板１２により、また、上部給電素子５ａの下端は素子保持板１３により絶縁柱４の内側に固定される。
そして、上記素子保持板１２の上面に絶縁板１４がネジ止めされ、この絶縁板１４の上面と素子保持板１３との間に接続板１５及びサポート２０が設けられる。
【０００５】
また、上記支持板３、素子保持板１２、絶縁板１４及び接続板１５には、その中央部分を貫通してショートトラップ回路１６が設けられ、外導体に同軸ケーブル１７の中心導体が接続される。この同軸ケーブル１７は、アンテナ支柱１の内部を通り、接栓１８を介して送受信機（図示せず）に接続される。上記ショートトラップ回路１６の外導体には、中心導体がＵ字状に形成された同軸ケーブル１７の中心導体が接続されており、このＵ字状の折曲げ部が絶縁板１４及び接続板１５の上部に突出して設けられ、同軸ケーブル１７の中心導体は、ショートトラップ回路１６の外導体及び接続板１５に電気的に接続され、外導体は素子保持板１２に電気的に接続される。また、ショートトラップ回路１６には、トラップ長さ調整用のショート板１９が移動可能に設けられており、トラップ長さ調整後にネジ止めされる。
【０００６】
また、ショートトラップ回路１６の外導体は、絶縁板１４及び接続板１５から突出した部分において外導体が接続板１５及び素子保持板１３を介して上部給電素子５ａに電気的に接続されると共に、同軸ケーブル１７の外導体が保持板１２に電気的に接続され、素子保持板１２を介して下部給電素子５ｂに電気的に接続される。これにより上部給電素子５ａ及び下部給電素子５ｂへの給電が行なわれる。
また、絶縁柱４の上端には、給電素子絶縁サポート２１が装着され、固定ネジ２２により固定される。
【０００７】
そして、上記無給電素子８の外側には、円筒状のアンテナカバー２３が設けられ、その下端部が支柱取付座部２にネジ止めされる。上記アンテナカバー２３の上端部には、アンテナカバー上蓋２４が装着され、上記給電素子絶縁サポート２１にネジ２５で固定される。
【０００８】
【発明が解決しようとする課題】
上記のように従来のアンテナ装置は、絶縁柱４の内側に給電素子５ａ、５ｂを設けると共に、絶縁柱４の外側に上部絶縁サポート６及び下部絶縁サポート７を介して無給電素子８を取り付けているので、その構造が複雑となり、アンテナ重量が増加すると共に材料費が高くなるという問題があった。
【０００９】
本発明は上記の課題を解決するためになされたもので、簡単な構成で給電素子と無給電素子とを同軸状に配置することができ、コストの低下を図り得るアンテナ装置を提供することを目的とする。
【００１０】
【課題を解決するための手段】
（第１の発明）
本発明に係るアンテナ装置は、支持部材により支持される円筒状の放射素子と、前記放射素子の外側に所定の間隔を保って同軸状に設けられた絶縁体からなる円筒体と、前記円筒体に装着され、前記放射素子に対して同軸状に設けられる１個あるいは複数個の無給電素子とを具備したことを特徴とする。
【００１１】
（第２の発明）
本発明は、第１の発明に係るアンテナ装置において、前記円筒体の外側表面に無給電素子を密着して設けたことを特徴とする。
【００１２】
（第３の発明）
本発明は、第１の発明に係るアンテナ装置において、前記円筒体の内側表面に無給電素子を密着して設けたことを特徴とする。
【００１３】
（第４の発明）
本発明は、第１の発明に係るアンテナ装置において、前記円筒体の内部に無給電素子を一体に設けたことを特徴とする。
【００１４】
（第５の発明）
本発明は、第１の発明に係るアンテナ装置において、前記円筒体によりアンテナカバーを構成したことを特徴とする。
【００１５】
【発明の実施の形態】
以下、図面を参照して本発明の一実施形態を説明する。
【００１６】
図１は本発明の一実施形態に係るアンテナ装置の一部断面図、図２は図１におけるＡ−Ａ矢視断面図である。
【００１７】
図１及び図２において、１は円筒状のアンテナ支柱で、その先端に支柱取付座部２がネジ止めされ、この支柱取付座部２の上端に支持板３がネジ止めされる。この支持板３の上面には、外周近傍に円筒状の支持部が形成されており、この支持部に円筒状の絶縁柱４がネジ止めされる。この絶縁柱４の上端内側面に円筒状の下部給電素子５ｂが装着される。
【００１８】
そして、下部給電素子５ｂの上端に円状の素子保持板１２が装着され、この素子保持板１２の上面に絶縁板１４がネジ止めされると共に、その上面に接続板１５及びサポート２０がネジ止めされる。この接続板１５及びサポート２０には、素子保持板１３がネジ止めされ、この素子保持板１３に上部給電素子５ａが装着される。
【００１９】
また、上記支持板３、素子保持板１２、絶縁板１４及び接続板１５には、その中央部分を貫通してショートトラップ回路１６が設けられ、外導体に同軸ケーブル１７の中心導体に接続される。この同軸ケーブル１７は、アンテナ支柱１の内部を通り、接栓１８を介して送受信機（図示せず）に接続される。上記ショートトラップ回路１６の外導体には、中心導体がＵ字状に形成された同軸ケーブル１７の中心導体が接続され、このＵ字状の折曲げ部が絶縁板１４及び接続板１５の上部に突出して設けられ、同軸ケーブル１７の中心導体は、ショートトラップ回路１６の外導体及び接続板１５に電気的に接続され、外導体は素子保持板１２に電気的に接続される。また、ショートトラップ回路１６には、トラップ長さ調整用のショート板１９が移動可能に設けられており、トラップ長さ調整後にネジ止めされて固定される。
【００２０】
また、ショートトラップ回路１６の外導体は、絶縁板１４及び接続板１５から突出した部分において外導体が接続板１５に電気的に接続され、更に、接続板１５が素子保持板１３を介して上部給電素子５ａに接続される。これにより上部給電素子５ａ及び下部給電素子５ｂに対して、正（＋）及び負（−）の給電が行なわれる。なお、上記ショートトラップ回路１６から給電素子５ａ、５ｂへの給電は、外導体と中心導体の接続を逆にしても良い。
【００２１】
そして、上記絶縁柱４及び給電素子５ａ、５ｂの外側には、円筒状のアンテナカバー２３が設けられ、その下端部が支柱取付座部２にネジ止めされる。上記アンテナカバー２３の外周面には、無給電素子８が装着される。すなわち、給電素子５ａ、５ｂに対し無給電素子８が所定の間隔を保つて同軸状に設けられる。また、上記絶縁柱４の上端部には、アンテナカバー上蓋２４が装着される。
【００２２】
上記アンテナカバー２３に無給電素子８を固定する方法は任意であるが、例えば図３（ａ）〜（ｃ）を示す方法が考えられる。
図３（ａ）は、プラスチックやＦＲＰ（ガラス繊維強化プラスチック）でアンテナカバー２３を製作し、このアンテナカバー２３の外周面にテープ状の金属の無給電素子８を巻き付け、その上に例えば各種樹脂や接着剤を塗布した絶縁テープ３１を巻き付けて固定するようにしたものである。
【００２３】
図３（ｂ）は、アンテナカバー２３を成形する際に、予めアンテナカバー２３を成形する型に無給電素子８となる金属板を巻き付けておき、その表面に接着剤等を塗布した後、ＦＲＰなどの布を巻き付けるようにしたものである。
【００２４】
図３（ｃ）は、アンテナカバー２３を成形する際に、その内部に金属の無給電素子８をモールドし、アンテナカバー２３と無給電素子８を一体に形成したものである。
【００２５】
なお、上記実施形態では、１個の無給電素子８により構成した場合について示したが、複数個の無給電素子により構成したも良いことは勿論である。
【００２６】
【発明の効果】
以上詳記したように本発明によれば、放射素子の周囲に無給電素子を同軸状に配置するアンテナ装置において、アンテナカバーに無給電素子を直接取付けるようにしたので、無給電素子を保持する部品が不要となると共に、給電素子の保持が簡単となり、給電素子の組み込みが容易となる。また、各素子保持部品の電気的影響もなく、調整が容易となり、調整時間を短縮することができる。更に、アンテナ全体の重量も軽くなり、アンテナの支柱強度を低減することができ、コストの低下を図ることができる。
【図面の簡単な説明】
【図１】本発明の一実施形態に係るアンテナ装置の構成例を一部断面して示す図。
【図２】同実施形態におけるＡ−Ａ矢視断面図。
【図３】同実施形態におけるアンテナカバーに対する無給電素子の装着例を示す図。
【図４】従来のアンテナ装置の構成を一部断面して示す図。
【図５】図４に示すアンテナ装置のＢ−Ｂ矢視断面図。
【符号の説明】
１　　アンテナ支柱
２　　支柱取付座部
３　　支持板
４　　絶縁柱
５ａ　上部給電素子
５ｂ　下部給電素子
６　上部絶縁サポート
７　下部絶縁サポート
８　無給電素子
９　絶縁サポート固定ネジ
１１　無給電素子固定ネジ
１２、１３　素子保持板
１４　絶縁板
１５　接続板
１６　ショートトラップ回路
１７　同軸ケーブル
１８　接栓
１９　ショート板
２１　給電素子絶縁サポート
２２　固定ネジ
２３　アンテナカバー
２４　アンテナカバー上蓋
２５　ネジ
３１　絶縁テープ
【図１】
2004007695.tif 000003
【図２】
2004007695.tif 000004
【図３】
2004007695.tif 000005
【図４】
2004007695.tif 000006
【図５】
2004007695.tif 000007
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
支持部材により支持される円筒状の放射素子と、
前記放射素子の外側に所定の間隔を保って同軸状に設けられた絶縁体からなる円筒体と、
前記円筒体の周面又は内部に設けられる円筒状の無給電素子と
を具備したことを特徴とするアンテナ装置。
【手続補正２】
【補正対象書類名】明細書
【補正対象項目名】００１０
【補正方法】変更
【補正の内容】
【００１０】
【課題を解決するための手段】
本発明に係るアンテナ装置は、支持部材により支持される円筒状の放射素子と、前記放射素子の外側に所定の間隔を保って同軸状に設けられた絶縁体からなる円筒体と、前記円筒体の周面又は内部に設けられる円筒状の無給電素子とを具備したことを特徴とする。


【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】